(57)【要約】【課題】ユーザーが機器を利用する時間を考慮した上で省エネルギーを行う。【解決手段】本開示に係るエネルギー源制御システムは、  ユーザーの位置情報を取得する位置情報取得部と、前記位置情報に基づいて、ユーザーが所定の場所に到着する到着時刻を推定する時刻推定部と、前記到着時刻に基づいて、前記所定の場所で動作する機器のエネルギー源を選択するエネルギー源選択部と、を備えるシステムコントローラーと、前記選択されたエネルギー源に基づいてエネルギー源を切り換えて前記機器に供給するエネルギー源切換制御装置と、を備える。【選択図】図５
2013162286.tif 000002
【特許請求の範囲】
【請求項１】
ユーザーの位置情報を取得する位置情報取得部と、
前記位置情報に基づいて、ユーザーが所定の場所に到着する到着時刻を推定する時刻推定部と、
前記到着時刻に基づいて、前記所定の場所で動作する機器のエネルギー源を選択するエネルギー源選択部と、を備えるシステムコントローラーと、
前記選択されたエネルギー源に基づいてエネルギー源を切り換えて前記機器に供給するエネルギー源切換制御装置と、
を備える、エネルギー源制御システム。
【請求項２】
前記システムコントローラーは、前記所定の場所で動作させる前記機器の情報を取得する機器情報取得部を備え、
前記エネルギー源選択部は、前記機器情報取得部が取得した前記機器を動作させるエネルギー源を選択する、請求項１に記載のエネルギー源制御システム。
【請求項３】
前記システムコントローラーは、前記位置情報に基づいて、ユーザーが前記所定の場所に接近したか否かを判定する接近判定部を備え、
前記時刻推定部は、前記ユーザーが前記所定の場所に接近したと判定された場合に、前記到着時刻を推定する、請求項１に記載のエネルギー源制御システム。
【請求項４】
前記位置情報取得部は、所定のタイミングで前記位置情報を取得し、
前記時刻推定部は、前記所定のタイミング前記位置情報が取得される毎に前記到着時刻を推定し、
前記エネルギー源選択部は、前記到着時刻に基づいて、前記エネルギー源をリアルタイムで選択する、請求項１に記載のエネルギー源制御システム。
【請求項５】
前記機器情報取得部は、ユーザーの予約設定に基づいて、前記機器の情報を取得する、請求項２に記載のエネルギー源制御システム。
【請求項６】
前記機器情報取得部は、ユーザーの過去の使用履歴に基づいて、前記機器の情報を取得する、請求項２に記載のエネルギー源制御システム。
【請求項７】
ユーザーの位置情報を取得することと、
前記位置情報に基づいて、ユーザーが所定の場所に到着する到着時刻を推定することと、
前記到着時刻に基づいて、前記所定の場所で動作する機器のエネルギー源を選択することと、
を備える、エネルギー源制御方法。
【発明の詳細な説明】
【技術分野】
【０００１】
本開示は、エネルギー源制御システム及びエネルギー源制御方法に関する。
【背景技術】
【０００２】
近時では、スマートフォンーなどの携帯機器が普及し、様々な機能が手軽に使えるようになっている。例えば、下記の特許文献１には、ユーザーの位置情報をＧＰＳにより検出し、外出先から家電製品を遠隔制御するシステムが記載されている。
【先行技術文献】
【特許文献】
【０００３】
【特許文献１】特開２０１０−２８８２３１号公報
【発明の概要】
【発明が解決しようとする課題】
【０００４】
携帯機器によって遠隔操作で制御される家庭内の機器としては、エアコン、炊飯器などの家電製品の他、風呂釜など、様々な機器が考えられる。しかしながら、ユーザーがこれらの機器を遠隔制御した場合に、ユーザーが帰宅して機器を使用するまでの時間が短いと、機器によっては消費エネルギーが大きくなる問題がある。上記従来技術では、ユーザーが機器を利用する時間を考慮した上で、省エネルギーを考慮した制御を行うことは想定していなかった。
【０００５】
そこで、ユーザーが機器を利用する時間を考慮した上で省エネルギーを行うことが望まれていた。
【課題を解決するための手段】
【０００６】
本開示によれば、ユーザーの位置情報を取得する位置情報取得部と、前記位置情報に基づいて、ユーザーが所定の場所に到着する到着時刻を推定する時刻推定部と、前記到着時刻に基づいて、前記所定の場所で動作する機器のエネルギー源を選択するエネルギー源選択部と、を備えるシステムコントローラーと、前記選択されたエネルギー源に基づいてエネルギー源を切り換えて前記機器に供給するエネルギー源切換制御装置と、を備える、エネルギー源制御システムが提供される。
【０００７】
また、前記システムコントローラーは、前記所定の場所で動作させる前記機器の情報を取得する機器情報取得部を備え、前記エネルギー源選択部は、前記機器情報取得部が取得した前記機器を動作させるエネルギー源を選択するものであってもよい。
【０００８】
また、前記システムコントローラーは、前記位置情報に基づいて、ユーザーが前記所定の場所に接近したか否かを判定する接近判定部を備え、前記時刻推定部は、前記ユーザーが前記所定の場所に接近したと判定された場合に、前記到着時刻を推定するものであってもよい。
【０００９】
また、前記位置情報取得部は、所定のタイミングで前記位置情報を取得し、前記時刻推定部は、前記所定のタイミング前記位置情報が取得される毎に前記到着時刻を推定し、前記エネルギー源選択部は、前記到着時刻に基づいて、前記エネルギー源をリアルタイムで選択するものであってもよい。
【００１０】
また、前記機器情報取得部は、ユーザーの予約設定に基づいて、前記機器の情報を取得するものであってもよい。
【００１１】
また、前記機器情報取得部は、ユーザーの過去の使用履歴に基づいて、前記機器の情報を取得するものであってもよい。
【００１２】
また、本開示によれば、ユーザーの位置情報を取得することと、前記位置情報に基づいて、ユーザーが所定の場所に到着する到着時刻を推定することと、前記到着時刻に基づいて、前記所定の場所で動作する機器のエネルギー源を選択することと、を備える、エネルギー源制御方法が提供される。
【発明の効果】
【００１３】
本開示によれば、ユーザーが機器を利用する時間を考慮した上で省エネルギーを行うことが可能となる。
【図面の簡単な説明】
【００１４】
【図１】本実施形態のシステム構成を示す模式図である。
【図２】ユーザーがあらかじめ、機器、器具の動作制御の予約設定をしていない場合を示す模式図である。
【図３】エネルギー源を選択する際の優先順位を示す模式図である。
【図４】エネルギー源を選択する際の優先順位を示す模式図である。
【図５】本実施形態の家庭内制御システムを示すブロック図である。
【図６】システムコントローラーの処理を示すフローチャートである。
【図７】システムコントローラーの処理を示すフローチャートである。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．本実施形態のシステム構成
２．本実施形態の家庭内制御システムのブロック構成例
３．システムコントローラーの処理フロー
【００１７】
１．本実施形態のシステム構成
図１は、本実施形態のシステム構成を示す模式図である。図１に示すように、本実施形態のシステムは、家庭内制御システム１００を備えている。家庭内制御システム１００は、通常電力、ガス、太陽光発電、燃料電池、などの家庭内に供給されるエネルギーを最適に切り換えて、風呂１１０、炊飯器１２０、エアコン１３０などの家電に供給する。
【００１８】
本実施形態では、ユーザーがＧＰＳなど位置検出機能付き携帯機器２００（携帯電話や携帯端末）を保有しているものとする。本実施形態では、エネルギー源として、通常の電力（電力会社から配電される電力）、家庭用太陽光発電、ガス、燃料電池、家庭用蓄電池などを用いた場合について説明する。家庭用蓄電池は、夜間就寝時間帯に通常電力により、または太陽光発電により充電して用いることができる。また、燃料電池は、例えばエネファーム（関連諸団体で統一した定置用燃料電池システムの商標）の名称のものを利用でき、これは一般家庭で用いることができる。
【００１９】
ユーザーが使用する機器、器具は、上記のエネルギー源で動作するものとし、具体的には、ユーザーが風呂、炊飯器、エアコンなどを用いる場合を説明するが、これらに限定されるものではない。
【００２０】
図１は、ユーザーがあらかじめ、機器、器具の動作制御の予約設定をしている場合を示している。例えば、ユーザーが帰宅する際に風呂１１０や炊飯器１２０などの機器が自動で動作するように予約した場合を示している。この場合、家庭内制御システム１００は、携帯機器２００から得られるユーザーの位置情報に基づいて、ユーザーの帰宅時間を推定し、省エネルギーに最適なエネルギー源を自動的に選択する。
【００２１】
図３は、エネルギー源を選択する際の優先順位を示す模式図である。図１の例では、家庭内制御システム１００は、図３に示す優先順位に基づいて、省エネルギーに最適なエネルギー源を自動的に切り換える。
【００２２】
家庭内制御システム１００は、携帯機器２００からインターネットなどのネットワーク３００を介して得られる位置情報に基づいて、ユーザーの帰宅時間を推定する。図３に示すように、ユーザーの家屋への到着時間が３０分〜１時間の場合は、ガス、通常電力、燃料電池、太陽光発電の優先順位でエネルギーが選択される。この場合、ユーザーが到着するまでの時間が比較的短時間であるため、単位時間あたりのエネルギー量が大きいエネルギーが優先して選択される。これにより、ユーザーが自宅に到着するまでの間に、風呂１１０を沸かすなどの準備を短時間で行うことができる。
【００２３】
一方、図３に示すように、ユーザーの家屋への到着時間が１時間以上の場合は、太陽光発電（蓄電池）、燃料電池、通常電力、ガスの優先順位でエネルギーが選択される。この場合、ユーザーが到着するまでの時間が比較的長時間であるため、エネルギーのコストに基づいて優先順位が設定される。これにより、予約されている家電を最小限のコストで動作させることができる。
【００２４】
この優先順位は、ユーザーまたは事業者があらかじめ設定することができるが、適宜変更してもよい。例えば、図５に示すブロック構成例で、システムコントローラー１１０に接続されたネットワーク３００を介して、優先順位を適宜変更することができる。優先順位の変更は、エネルギー源の市場コストに応じて、到達時間が長い場合の優先順位を変更ことができる。
【００２５】
図２は、ユーザーがあらかじめ、機器、器具の動作制御の予約設定をしていない場合を示している。図２に示す例では、ユーザーが自宅から所定の距離の範囲（図２中に破線で示す範囲）内に入った場合に、家庭内制御システム１００は、過去の機器の使用の履歴情報に基づいて、ユーザーが、使用すると思われる家庭内の機器を推定し、省エネルギーに最適なエネルギー源を自動的に選択する。自動選択の結果は、ユーザーの携帯機器２００にネットワーク３００を介して送られる。ユーザーがその結果を受信し、ユーザーが自動選択の結果を承認した場合は、家庭内制御システム１００は、エネルギー源を選択する所定の処理に基づいて、機器、器具の動作を制御する。また、家庭内制御システム１００は、ユーザーからの承認を得ることなく、自動的に、エネルギー源を選択する処理の処理に基づいて、機器、器具の動作を制御しても良い。
【００２６】
図２の例においても、図３の優先順位に基づいてエネルギー源が選択され、ユーザーが自宅に到着するまでの時間に応じて、エネルギー優先またはコスト優先により最適なエネルギーが選択される。
【００２７】
図４は、図３と同様にエネルギー源を選択する際の優先順位を示す模式図であって、到達時間の区分を図３よりも細かくした場合を示している。図４に示す例では、到着時間が３０分〜４５分、４５分〜９０分、９０分以上の３通りのそれぞれについて、最適な優先順位が設定される。また、到達時間が中間程度（４５分〜９０分）の場合には、通常電力と燃料電池を併用するなど、複数のエネルギー源を組み合わせて用いている。
【００２８】
図３及び図４に示す優先順位は、デフォルトとして設定されているか、またはユーザーが携帯機器２００を操作することで、ネットワーク３００を介して適宜、設定、変更することが可能である。
【００２９】
２．本実施形態の家庭内制御システムのブロック構成例
図５は、本実施形態の家庭内制御システム１００を示すブロック図である。家庭内制御システム１００は、システムコントローラー１１０と、切り替え制御系１２０を有して構成されている。通常電力、ガス、燃料電池、太陽光発電、蓄電池などの各エネルギー源は、切り換え制御系１２０に接続されており、システムコントローラー１１０からの制御データに基づいて所定の切り換え制御が行われる。
【００３０】
システムコントローラー１１０は、インターネットなどのネットワーク３００に接続されており、ユーザーが保有する携帯機器２００からの位置情報を適宜受信する。システムコントローラー１１０は、その位置情報に基づいて、所定の制御処理を行い、最適なエネルギー源を選択する。
【００３１】
このため、システムコントローラー１１０は、位置情報取得部１１０ａ、帰宅時刻推定部１１０ｂ、エネルギー源選択部１１０ｃ、変更情報取得部１１０ｄ、優先順位変更部１１０ｅ、接近判定部１１０ｆ、機器情報取得部１１０ｇを有して構成される。また、システムコントローラー１１０は、優先順位記憶部１１２、使用履歴記憶部１１４を有して構成される。位置情報取得部１１０ａは、ユーザーの携帯機器２００から、所定のタイミングで携帯機器２００の位置情報を取得する。帰宅時刻推定部１１０ｂは、携帯機器２００の位置情報に基づいて、ユーザーの帰宅時刻（自宅への到着時刻）を推定する。エネルギー源選択部１１０ｃは、ユーザーの帰宅時刻に基づいて、図３及び図４の優先順位を参照してエネルギー源を選択する。図３及び図４の情報は、優先順位記憶部１１２に記憶されている。変更情報取得部１１０ｄは、優先順位の変更に関する情報など、各種情報を携帯機器２００から取得する。優先順位変更部１１０ｅは、変更情報取得部１１０ｄが取得した情報に基づいて、図３の優先順位を変更する。接近判定部１１０ｆは、位置情報に基づいて、ユーザーが自宅から所定の範囲内に位置しているか否かを判定する。機器情報取得部１１０は、ユーザーによる機器の予約設定、またはユーザーによる機器の過去の使用履歴に基づいて、どの機器を動作させるかについての情報を取得する。使用履歴記憶部１１４は、ユーザーによる機器の過去の使用履歴を記憶する。
【００３２】
図５に示すシステムコントローラー１１０の構成は、回路（ハードウェア）または、ＣＰＵなどの中央演算処理装置とこれを機能させるためのプログラム（ソフトウェア）によって構成することができる。この場合に、そのプロプログラムは、システムコントローラー１１０が備えるメモリ、または外部から接続される記憶媒体に格納されることができ、また、ネットワーク３００を介してシステムコントローラー１１０がダウンロードすることもできる。
【００３３】
図５に示す切り替え制御系１２０は、システムコントローラー１１０の指示に基づいて、通常電力、ガス、燃料電池、太陽光発電、蓄電池などのエネルギー源を切り換えて、エアコン、炊飯器、調理機器、風呂などの各機器に供給する制御装置である。切り替え制御系１２０は、ガスから電気へのエネルギーの変換などのエネルギー変換を行うことができる。
【００３４】
３．システムコントローラーの処理フロー
図６は、システムコントローラー１１０の処理を示すフローチャートであって、図１のようにユーザーが使用する器具の動作をあらかじめ設定（予約）した場合の動作を示している。
【００３５】
先ずステップＳ１０では、ユーザーが動作を設定（予約）した所定時間になるまで待機し、所定時間になった場合はステップＳ１２へ進む。ステップＳ１２では、ユーザーの位置情報ｐを検出する。ユーザーの位置情報ｐは、ユーザーが保有する携帯機器２００からネットワーク３００を介してシステムコントローラー１１０へ送られる。
【００３６】
次のステップＳ１４では、位置情報ｐに基づいてユーザーの帰宅時刻ｔを推定する。次のステップＳ１６では、位置情報ｐと帰宅時刻ｔに基づいて最適なエネルギー源Ｅを選択する。
【００３７】
次のステップＳ１８では、ステップＳ１６で選択したエネルギー源Ｅによって、予約設定された家電を動作させる。次のステップＳ２０では、位置検出をする所定時間になったか否かを判定し、所定時間になった場合は、ステップＳ２２以降へ進み、ユーザーの位置情報ｐ１を新たに検出する。次のステップＳ２４では、位置情報ｐ１に基づいてユーザーの帰宅時刻ｔ１を推定する。一方、次のステップＳ２０で所定時間になっていない場合は、ステップＳ１８へ戻る。
【００３８】
ステップＳ２４の後はステップＳ２６へ進み、ユーザーの自宅への到着時間が予定通りの到着時間であるか否かを判定する。ユーザーの到着時間が予定通りでない場合はステップＳ２８へ進む。ステップＳ２８では、新たな位置情報ｐ１、帰宅時刻ｔ１に基づいてエネルギー源を変更する処理を行う。これにより、ユーザーの到着が予定よりも早い場合は、よりエネルギーの大きいエネルギー源に切り換えることで、ユーザーの到着時間に合わせて家庭の機器をスタンバイ状態にすることができる。また、ユーザーの到着時刻が予定よりも遅い場合は、よりコストの低いエネルギー源に切り換えることで、コストを低下することができる。
【００３９】
ステップＳ２６でユーザーの到着時刻が予定通りの場合、またはステップＳ２８の後は、ステップＳ３０へ進む。ステップＳ３０では、携帯機器２００から送られる位置情報に基づいてユーザーが帰宅したか否かを判定し、ユーザーが帰宅した場合は処理を終了する。一方、ユーザーが帰宅していない場合は、ステップＳ１８へ戻り、以降の処理を繰り返す。
【００４０】
図７は、システムコントローラー１１０の処理を示すフローチャートであって、図２のようにユーザーが使用する器具の動作をあらかじめ設定（予約）していない場合の動作を示している。
【００４１】
先ず、ステップＳ５０では、ユーザーの位置情報ｐを検出する。次のステップＳ５２では、位置情報ｐが自宅を基準として所定の範囲に入ったか否かを判定する。位置情報ｐが所定の範囲に入った場合は、ステップＳ５４へ進む。ステップＳ５４では、ユーザーが保有する携帯機器２００に対して、携帯機器２００の位置情報ｐが所定の範囲に入った旨を通知する。また、ステップＳ５４では、過去の機器の使用の履歴情報に基づいて、ユーザーが使用する家庭内の機器を推定するとともに、省エネルギーに最適なエネルギー源を自動的に選択する旨を携帯機器２００に通知する。
【００４２】
次のステップＳ５６では、ステップＳ５４の通知に対する承認をユーザーの携帯機器２００から受信する。ステップＳ５６の次はステップＳ１４以降の処理へ進み、図５のステップＳ１４以降と同様の処理を行う。この際、ステップＳ１８では、選択したエネルギー源を、ネットワーク３００を介してユーザーの携帯機器２００に通知する。また、ステップＳ２８では、変更した最適エネルギー源を、ネットワーク３００を介してユーザーの携帯機器２００に通知する。これにより、位置情報に基づいて最適なエネルギー源が選択される。
【００４３】
以上説明したように本実施形態によれば、ユーザーの位置情報に基づいて到着時間を推定することで、最適なエネルギー源を選択して家庭の機器を動作させることができる。従って、ユーザーの帰宅に合わせて家庭内の機器の動作を準備できるとともに、エネルギーのコストを最小限に抑えることが可能となる。
【００４４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４５】
なお、以下のような構成も本開示の技術的範囲に属する。
（１）ユーザーの位置情報を取得する位置情報取得部と、
前記位置情報に基づいて、ユーザーが所定の場所に到着する到着時刻を推定する時刻推定部と、
前記到着時刻に基づいて、前記所定の場所で動作する機器のエネルギー源を選択するエネルギー源選択部と、を備えるシステムコントローラーと、
前記選択されたエネルギー源に基づいてエネルギー源を切り換えて前記機器に供給するエネルギー源切換制御装置と、
を備える、エネルギー源制御システム。
【００４６】
（２）前記システムコントローラーは、前記所定の場所で動作させる前記機器の情報を取得する機器情報取得部を備え、
前記エネルギー源選択部は、前記機器情報取得部が取得した前記機器を動作させるエネルギー源を選択する、前記（１）に記載のエネルギー源制御システム。
【００４７】
（３）前記システムコントローラーは、前記位置情報に基づいて、ユーザーが前記所定の場所に接近したか否かを判定する接近判定部を備え、
前記時刻推定部は、前記ユーザーが前記所定の場所に接近したと判定された場合に、前記到着時刻を推定する、前記（１）に記載のエネルギー源制御システム。
【００４８】
（４）前記位置情報取得部は、所定のタイミングで前記位置情報を取得し、
前記時刻推定部は、前記所定のタイミング前記位置情報が取得される毎に前記到着時刻を推定し、
前記エネルギー源選択部は、前記到着時刻に基づいて、前記エネルギー源をリアルタイムで選択する、前記（１）に記載のエネルギー源制御システム。
【００４９】
（５）前記機器情報取得部は、ユーザーの予約設定に基づいて、前記機器の情報を取得する、前記（２）に記載の装置。
【００５０】
（６）前記機器情報取得部は、ユーザーの過去の使用履歴に基づいて、前記機器の情報を取得する、前記（２）に記載のエネルギー源制御システム。
【００５１】
（７）ユーザーの位置情報を取得することと、
前記位置情報に基づいて、ユーザーが所定の場所に到着する到着時刻を推定することと、
前記到着時刻に基づいて、前記所定の場所で動作する機器のエネルギー源を選択することと、
を備える、エネルギー源制御方法。
【符号の説明】
【００５２】
１００    家庭内制御システム
１１０    システムコントローラー
１１０ａ  位置情報取得部
１１０ｂ  帰宅時刻推定部
１１０ｃ  エネルギー源選択部
１２０    切り替え制御系
【図１】
2013162286.tif 000003
【図２】
2013162286.tif 000004
【図３】
2013162286.tif 000005
【図４】
2013162286.tif 000006
【図５】
2013162286.tif 000007
【図６】
2013162286.tif 000008
【図７】
2013162286.tif 000009